(57)【要約】【課題】互いに異なるバージョンのHDMI規格に準拠する電子機器同士を接続した場合に映像の表示や音声の出力に問題が発生する場合がある。【解決手段】本実施形態の放送信号受信装置は、前記他の電子機器から、識別ビットに応答して設定された応答情報を含む第１の制御情報を前記受信部で受信した場合は、前記応答情報の値に応じて、動作するために準拠するHDMIのバージョンを決定し、前記他の電子機器から、前記応答情報を含む第１の制御情報を前記受信部で受信しない場合は、前記受信部で受信した、前記他の電子機器から送られた映像音声信号の属性に応じて、動作するために準拠するHDMIのバージョンを決定する電子機器。【選択図】図１
2020150445.tif 000002
【特許請求の範囲】
【請求項１】
他の電子機器とHDMIの規格に準拠して接続する電子機器において、
前記他の電子機器に対して、前記HDMIの第１のバージョンの対応している場合に応答するように設定した識別ビットを含む第１のEDIDを保持するメモリと、
前記メモリに保存されている前記第１のEDIDを送信する送信部と、
前記他の電子機器から送られてくる信号を受信する受信部と、
を具備し、
前記他の電子機器から、前記識別ビットに応答して設定された応答情報を含む第１の制御情報を前記受信部で受信した場合は、前記応答情報に応じて、動作するために準拠するHDMIのバージョンを決定し、
前記他の電子機器から、前記応答情報を含む前記第１の制御情報を前記受信部で受信しない場合は、前記受信部で受信した、前記他の電子機器から送られた映像音声信号の属性に応じて、動作するために準拠するHDMIのバージョンを決定する電子機器。
【請求項２】
前記識別ビットは、HDMI2.xの対応の有無を示すビットである請求項１に記載の電子機器。
【発明の詳細な説明】
【技術分野】
【０００１】
本発明の実施形態は、電子機器に関する。
【背景技術】
【０００２】
HDMI（登録商標）（High-Definition Multimedia Interface）は、電子機器間で映像や音声をデジタル信号で伝送するためのインタフェースの１つである。
HDMI規格は、接続する電子機器のニーズに合わせて1.0版(2002年12月リリース)以降バージョンアップが繰り返し行われている。
【先行技術文献】
【特許文献】
【０００３】
【特許文献１】米国特許第9,305,516 B1号明細書
【発明の概要】
【発明が解決しようとする課題】
【０００４】
HDMI規格は、異なるバージョンに準拠する電子機器同士を接続する場合でも、問題が発生しないよう互換性を有するように定義されている。しかしながら実際に市場に存在する電子機器においては、互いに異なるバージョンのHDMI規格に準拠する電子機器同士を接続した場合に映像の表示や音声の出力に問題が発生する場合がある。
【課題を解決するための手段】
【０００５】
そこで本発明の本実施形態の電子機器は、
他の電子機器とHDMIの規格に準拠して接続する電子機器において、
前記他の電子機器に対して、前記HDMIの第１のバージョンの対応している場合に応答するように設定した識別ビットを含む第１のEDIDを保持するメモリと、
前記メモリに保存されている前記第１のEDIDを送信する送信部と、
前記他の電子機器から送られてくる信号を受信する受信部と、
を具備し、
前記他の電子機器から、前記識別ビットに応答して設定された応答情報を含む第１の制御情報を前記受信部で受信した場合は、前記応答情報に応じて、動作するために準拠するHDMIのバージョンを決定し、
前記他の電子機器から、前記応答情報を含む前記第１の制御情報を前記受信部で受信しない場合は、前記受信部で受信した、前記他の電子機器から送られた映像音声信号の属性に応じて、動作するために準拠するHDMIのバージョンを決定する電子機器である。
【図面の簡単な説明】
【０００６】
【図１】図１は、本実施形態に係る電子機器と映像送信装置との接続例の一例を示す図である。
【図２】図２は、本実施形態に係る電子機器及び映像送信装置の構成の一例を示す図である。
【図３】図３は、本実施形態に係る電子機器の第１通信モジュール及び映像送信装置の第２通信モジュールの機能構成の一例を示すブロック図である。
【図４Ａ】図４Ａは、本実施形態に係る電子機器が、映像送信装置の要求に対する応答として送出するEDIDのフォーマットの一例を示す図である。
【図４Ｂ】図４Ｂは、本実施形態に係る電子機器が受信する拡張したInfoFrameのフォーマットの一例を示す図である。
【図５】図５は、本実施形態に係る電子機器（Sink機器）がHDMIケーブルを介して接続する映像送信装置（Source機器）の種類とその種類に対応して映像表示装置（Sink機器）が行う処理内容との組み合わせの一例を示す図である。
【図６】図６は、本実施形態に係る電子機器が、HDMI1.4bの規格に準拠し更に図４Ｂに示すInfoFrameをサポートする映像送信装置と接続する場合の、接続処理シーケンスの一例を示す図である。
【図７】図７は、本実施形態に係る電子機器が、HDMI2.xの規格に準拠し更に図４Ｂに示すInfoFrameをサポートする映像送信装置と接続する場合の、接続処理シーケンスの他の例を示す図である。
【図８】図８は、本実施形態に係る電子機器が、HDMI1.4bの規格に準拠し図４Ｂに示すInfoFrameをサポートしない映像送信装置と接続する場合の、接続処理シーケンスの他の例を示す図である。
【図９】図９は、本実施形態に係る電子機器が、HDMI2.xの規格に準拠し更に図４Ｂに示すInfoFrameをサポートしない映像送信装置と接続する場合の、接続処理シーケンスの他の例を示す図である。
【図１０】図１０は、本実施形態に係る電子機器が、接続する映像送信装置が準拠するHDMIのバージョンに応じて、動作するHDMIのバージョンを切り替える処理フローの一例を示す図である。
【発明を実施するための形態】
【０００７】
以下、本発明の実施形態に係る電子機器１０について、図面を参照して説明する。
図１は、本発明の実施形態に係る電子機器１０と映像送信装置２０との接続例の一例を示す図である。図１に示すように、電子機器１０はHDMIケーブル３０を介して映像送信装置２０に接続されており、電子機器１０はHDMI規格におけるSink機器、映像送信装置２０はHDMI規格におけるSource機器として動作する。電子機器１０は、例えば映像表示装置であってもよい。以降電子機器１０は、映像表示装置１０を例にして説明する。
【０００８】
映像表示装置１０は、HDMIケーブル３０を介して映像表示装置１０から送られてきた映像音声信号を受信するシンク(Sink)機器である。
映像表示装置１０と接続する映像送信装置２０とは、互いに異なるHDMI規格のバージョンに準拠してもよい。図１の例は、HDMI2.xの規格に準拠し更に図４Ｂに示すInfoFrameをサポートしない映像送信装置２０−１、HDMI1.4bの規格に準拠し更に図４Ｂに示すInfoFrameをサポートする映像送信装置２０−２及びHDMI1.4bの規格に準拠し更に図４Ｂに示すInfoFrameをサポートしない映像送信装置２０−３とが、映像表示装置１０に同時に接続している様子を示しているが、これに限らない。
【０００９】
例えば映像表示装置１０は、映像送信装置２０−１及び映像送信装置２０−２とだけ接続していてもよい。あるいはまた映像表示装置１０は、ユーザ操作によるHDMIケーブル３０の着脱により時系列的に、映像送信装置２０−１とだけ接続、映像送信装置２０−２とだけ接続、映像送信装置２０−３とだけ接続されていてもよい。
【００１０】
映像表示装置１０は、HDMIの拡張機能（例えばHDMI2.x）に準拠しており、HDMI入力端子１１１を備えたシンク(Sink)機器である。また映像表示装置１０は、映像送信装置の要求に対する応答としてEDID(Extended Display Identification Data)を送信するために、HDMI2.xに対応したデータブロックとHDMI1.4bに対応したデータブロックの両方の情報を保持している。これにより映像表示装置１０は、HDMI1.4bに基づいたEDIDとHDMI2.xに基づいたEDIDを選択して送信することができる。
【００１１】
また映像表示装置１０は、デフォルトの動作はHDMI2.xに準拠した動作をするものとし、映像送信装置２０から送られてくる図４Ｂに示すInfoFrameやHDMI信号に基づいて、HDMI2.xに基づいたEDIDをHDMI1.4bに基づいたEDIDに切り替えて送信することが可能である。映像表示装置１０が行うHDMI2.xに基づいたEDIDからHDMI1.4bに基づいたEDIDに切り替えて送信する切り替えの処理については、図６から図１０を用いて説明する。
【００１２】
映像送信装置２０は、HDMI規格に準拠しており、例えば光ディスク（例えばブルーレイディスク）などの媒体に記憶された映像や音声を再生し、HDMIケーブル３０を介して映像表示装置１０に映像音声信号を送信するソース(Source)機器である。
【００１３】
図２は、本実施形態に係る映像表示装置１０、及び映像送信装置２０の構成の一例を示す図である。図２に示すように、映像表示装置１０は、テレビ機能モジュール１００、第１通信モジュール１１０、IP通信モジュール１２０、セレクタ１１、表示駆動モジュール１２、ディスプレイ１３、音声駆動モジュール１４、スピーカー１５、コントローラ１８、及び入力モジュール１９を含む。また映像表示装置１０は、アンテナ１０３と接続するための入力端子１０１、HDMIケーブル３０と接続するためのHDMIポート（１）１１１、HDMIポート（２）１１２、ネットワーク１８０と接続するためのコネクタ１２１を備える。HDMIポートは、HDMIコネクタと呼んでもよい。なお図２の例ではHDMIポートの数は、HDMIポート（１）１１１及びHDMIポート（２）１１２の２つであるが、その数は任意であってもよい。
【００１４】
テレビ機能モジュール１００は、チューナモジュール１０５と信号処理モジュール１０６とを含み、アンテナ１０３を介して放送信号を受信する。
チューナモジュール１０５は、入力端子１０１に接続されるアンテナ１０３を介して放送信号を受信し、所定のチャンネルの信号を抽出する。
【００１５】
信号処理モジュール１０６は、チューナモジュール１０５により抽出された所定のチャンネルの信号を、映像成分と音声成分とに分離して映像信号V1及び音声信号A１として出力する。
第１通信モジュール１１０は、HDMI規格に準拠した映像音声信号（TMDS(Transition Minimized Differential Signaling)で符号化された信号）を受信する。第１通信モジュール１１０は、HDMIポート１１１（又はHDMIポート１１２）に挿入されたHDMIケーブル３０を介して受信したHDMI規格の映像音声信号をデコードして映像成分と音声成分とに分離し、映像信号V2および音声信号A2として出力する。
【００１６】
また第１通信モジュール１１０は、HDMIポート（１）１１１およびHDMIポート(2)１１２とを介して複数の映像送信装置２０と接続している場合、HDMIポート（１）１１１と接続している映像送信装置２０が送信してきた映像音声信号、HDMIポート（２）１１２と接続している映像送信装置２０が送信してきた映像音声信号のいずれか１つを選択し、選択したHDMIポートを介して受信した映像音声信号を映像成分と音声成分とに分離し、映像信号V2および音声信号A2として出力する。
【００１７】
第１通信モジュール１１０は、例えばユーザが入力モジュール１９を操作することで受け付けた「入力切り替え指示」に従って、HDMIポート（１）１１１から入力された映像音声信号およびHDMIポート（２）１１２から入力された映像音声信号の１つまたは複数を選択してセレクタ１１に出力する。
【００１８】
IP通信モジュール１２０は、コネクタ１２１を介して接続されているネットワーク１８０から、映像信号を含むIP放送信号を受信し、受信したIP放送信号を映像成分と音声成分とに分離して映像信号V3および音声信号A3として出力する。IP放送として受信するサービスは、例えばビデオ・オン・デマンドである。IP通信モジュール１２０はさらに、動画配信サービスサーバが配信する動画を受信することも可能である。
【００１９】
セレクタ１１は、表示駆動モジュール１２に映像信号を、また音声駆動モジュール１４に音声信号を入力するために、テレビ機能モジュール１００、第１通信モジュール１１０及びIP通信モジュール１２０が出力する映像信号および音声信号のいずれか１つを選択する。
【００２０】
セレクタ１１は、例えばユーザが入力モジュール１９を操作することで受け付けた「入力切り替え指示」に従って、テレビ機能モジュール１００、第１通信モジュール１１０及びIP通信モジュール１２０が出力する映像信号および音声信号の１つまたは複数を選択して表示駆動モジュール１２および音声駆動モジュール１４に出力する。
【００２１】
具体的には、セレクタ１１は、テレビ機能モジュール１００が出力する映像信号V1及び音声信号A1と、第１通信モジュール１１０が出力する映像信号V2及び音声信号A2と、IP通信モジュール１２０が出力する映像信号V3及び音声信号A3とを選択的に切り替えて表示駆動モジュール１２及び音声駆動モジュール１４に出力する。
【００２２】
表示駆動モジュール１２は、セレクタ１１が出力する映像信号に基づいてディスプレイ１３に映像を表示させる。
音声駆動モジュール１４は、セレクタ１１が出力する音声信号に基づいてスピーカー１５に音声を出力させる。
コントローラ１８は、映像表示装置１０の各部を制御する。例えば入力モジュール１９により設定操作の入力が受け付けられた場合に、コントローラ１８は、当該設定操作に従って各部を制御する。
【００２３】
入力モジュール１９は、映像表示装置１０に対する設定等の入力を受け付ける。入力モジュールは、ユーザにより操作されてもよい。入力モジュール１９は、あるいはリモコン（リモートコントローラ）の受信機能を備えていてもよく、ユーザ操作によるリモコンからの指示を受け付けてもよい。
【００２４】
映像送信装置２０は、第２通信モジュール２１０、記録再生モジュール２０３及びコーデック２０４を含む。また映像送信装置２０は、HDMIケーブル３０と接続するためのHDMIポート２０１を備える。
第２通信モジュール２１０は、HDMI規格に準拠した映像音声信号（TMDS(Transition Minimized Differential Signaling)で符号化された信号）を送信する。第２通信モジュール２１０は、HDMIポート２０１に挿入されたHDMIケーブル３０を介して接続された映像表示装置１０に映像音声信号送信するために、例えばコーデック２０４から入力された映像信号及び音声信号をHDMI規格の映像音声信号にエンコードし、映像表示装置１０に送信するための制御を行う。
【００２５】
記録再生モジュール２０３は、ＤＶＤやブルーレイディスク等の記録媒体２０２に対する記録及び再生を行う。
コーデック２０４は、記録再生モジュール２０３が記録媒体２０２から読みだしたエンコードデータをベースバンドの映像信号と音声信号にデコードし、第２通信モジュール２１０に出力したり、あるいは記録媒体２０２にデータを記録するためにエンコードし、記録再生モジュール２０３に出力したりする。
【００２６】
図２の例では映像表示装置１０は、テレビ機能モジュール１００、第１通信モジュール１１０、IP通信モジュール１２０のすべてを備える例であるが、これに限らず第１通信モジュール１１０モジュール以外のテレビ機能モジュール１００及びIP通信モジュール１２０を備えていても備えていなくてもよい。
【００２７】
図３は、本実施形態に係る映像表示装置１０の第１通信モジュール１１０及び映像送信装置２０の第２通信モジュール２１０の機能構成の一例を示すブロック図である。
第１通信モジュール１１０は、TMDSデコーダ（受信モジュール）１５０、判定モジュール１５１、通信コントローラ１５２、EDID処理モジュール１５３を含む。
【００２８】
TMDSデコーダ（受信モジュール）１５０は、HDMIケーブル３０を介して映像送信装置２０から送られてきたHDMI規格の映像音声信号をデコードし、セレクタ１１に出力する。
判定モジュール１５１は、TMDSデコーダ１５０がHDMIケーブル３０を介して映像音声信号を受信した際に、受信した映像音声信号に含まれているInfoFrameのHDMI拡張機能対応ビットが“オン（例えば１）”か否かを判定する。判定モジュール１５１の判定処理に関しては、図６から図１０を用いて説明する。
【００２９】
通信コントローラ１５２は、CEC(Consumer Electronics Control)ラインやHPD(Hot Plug Detect)ライン等の信号を、映像送信装置２０との間で通信する。
EDID処理モジュール１５３は、EDID送信コントローラ１５４とメモリ１５５とを備え、EDIDの送信処理を行う。
【００３０】
メモリ１５５は、HDMI1.4bのデータブロック及びHDMI2.xのデータブロックを保持している。HDMI1.4bのデータブロック及びHDMI2.xのデータブロックは、例え映像表示装置１０が利用可能なフォーマット等、映像表示装置１０のケーパビリティ(Capability)を示すEDIDを保持している。
【００３１】
第２通信モジュール２１０は、TMDSエンコーダ（伝送モジュール）２５０、通信コントローラ２５２を含む。
TMDSエンコーダ（伝送モジュール）２５０は、コーデック２０４から入力された映像音声信号を、HDMIケーブル３０介して映像表示装置１０に送信するためにHDMI規格の映像音声信号にエンコードし、映像表示装置１０に送信するための制御を行う。
【００３２】
通信コントローラ２５２は、映像表示装置１０との間でCECライン及びHPDライン等の信号を通信する。
また、通信コントローラ２５２は、DDCラインを介して映像表示装置１０のEDID処理モジュール１５３と接続されている。通信コントローラ２５２は、EDID処理モジュール１５３が送信するEDIDを受信する。
【００３３】
図４Ａは、本実施形態に係る映像表示装置１０が、映像送信装置の要求に対する応答として送出するEDIDのフォーマットの一例を示す図である。
映像表示装置１０が送出するEDIDは、HDMI Forum データブロックとして、HDMI1.4bデータブロック あるいはHDMI2.xデータブロックのVendor-specific tag codeやLengthや24-bit IEEE Registration Identifierを含む。さらに映像表示装置１０が送出するEDIDは、リザーブ領域の任意の領域に、HDMI拡張機能対応ビット４０１を含む。HDMI拡張機能対応ビット４０１は、Source機器である映像送信装置２０に対して、HDMI拡張機能（例えばバージョン2.x互換）に準拠しているか否かを提示させるための識別ビットである。
【００３４】
HDMI拡張機能対応ビット４０１を含むEDIDを受信した映像送信装置２０は、HDMI拡張機能対応ビット４０１が”オン(例えば1)”であることを認識できる場合には、HDMI拡張機能の準拠の可否を、図４Ｂに示す拡張したInfoFrameを用いて映像表示装置１０に対して提示する。
【００３５】
図４Ｂは、本実施形態に係る映像表示装置１０が受信する拡張したInfoFrameのフォーマットの一例を示す図である。
映像表示装置１０が受信する拡張したInfoFrameは、Checksumや24bit IEEE Registration Identifierを含む。さらに映像表示装置１０が受信する拡張したInfoFrameは、リザーブ領域の任意の領域に、HDMI拡張機能対応ビット４０２を含む。HDMI拡張機能対応ビット４０２は、図４Ａに示すEDIDのHDMI拡張機能対応ビット４０１に対する応答として割り当てられたビットである。
【００３６】
映像表示装置１０がEDIDのHDMI拡張機能対応ビット４０１を“オン（例えば１）”に設定して送信する場合、映像送信装置２０は、HDMI拡張機能対応ビット４０１の値が”オン(例えば1)”であることを認識できる場合には、HDMI拡張機能対応ビット４０２に値を設定して映像表示装置１０に拡張したInfoFrameを送信する。映像送信装置２０が拡張したInfoFrameのHDMI拡張機能対応ビット４０２に設定する値は、HDMI拡張機能（例えばバージョン2.x互換）に準拠している場合は、”オン(例えば1)”であり、準拠していない場合は”オフ(例えば０)”である。
【００３７】
これにより、映像表示装置１０は、映像送信装置２０がHDMI拡張機能に対応しているか否かを確認することができる。以降図４Ｂに示すHDMI拡張機能対応ビット４０２を含む拡張したInfoFrameを、拡張InfoFrameと呼ぶこととする。また、HDMI拡張機能対応ビット４０２を含まないフォーマットのInfoFrameを、通常InfoFrameと呼ぶこととする。またInfoFrameを受信したときの映像表示装置１０の処理については、図５から図１０を用いて説明する。
【００３８】
図５は、本実施形態に係る映像表示装置（Sink機器）１０がHDMIケーブル３０を介して接続する映像送信装置（Source機器）２０の種類と、その種類に対応して映像表示装置（Sink機器）１０が行う処理内容との組み合わせの一例を示す図である。
【００３９】
No1の組み合わせは、拡張InfoFrameに対応した映像送信装置（Source機器）２０と映像表示装置１０（Sink機器）が行う処理との組み合わせの例である。
No2の組み合わせは、通常InfoFrameのみに対応しHDMI1.4bに準拠する映像送信装置（Source機器）２０と映像表示装置（Sink機器）１０が行う処理との組み合わせの例である。
【００４０】
No3の組み合わせは、通常InfoFrameのみに対応しHDMI2.xに準拠する映像送信装置（Source機器）２０と映像表示装置（Sink機器）１０が行う処理との組み合わせの例である。
No1の組み合わせは、映像表示装置（Sink機器）１０が、送信したEDIDに対応して映像送信装置２０から送信された拡張InfoFrameを受信した場合に、その受信した拡張InfoFrameに含まれるHDMI拡張機能対応ビット４０２の値に応じてHDMI2.xで動作するか、HDMI1.4bで動作するかの制御を行うことを示している。
【００４１】
またNo2の組み合わせは、映像表示装置（Sink機器）１０が、送信したEDIDに対応して映像送信装置２０から送信された通常InfoFrameを受信し場合に、継続して送られてくる映像音声信号を解析した結果に基づきHDMI1.4bでの動作に切り替え、継続して映像音声信号を受信する処理を行うことを示している。
【００４２】
またNo3の組み合わせは、映像表示装置（Sink機器）１０が、送信したEDIDに対応して映像送信装置２０から送信された通常InfoFrameを受信し場合に、継続して送られてくる映像音声信号を解析した結果に基づきHDMI2.xでの動作を継続し、継続して映像信号を受信する処理を行うことを示している。
【００４３】
図６から図９は、図５のNo１からNo３の組み合わせにおける映像表示装置（Sink機器）１０と映像送信装置（Source機器）２０の、電源ON以降の起動および接続に関する処理の一例を示す図である。
図６は、本実施形態に係る電子機器１０が、HDMI1.4bの規格に準拠し更に図４Ｂに示す拡張InfoFrameをサポートする映像送信装置２０と接続する場合の、接続処理シーケンスの一例を示す図である。図６に示す映像送信装置（Source機器）２０はHDMI1.4bに準拠している場合であり、処理シーケンスは図５のNo１の組み合わせの場合に該当する。
【００４４】
映像送信装置（Source機器）２０の第２通信モジュール２１０は、電源ＯＮ状態になると５Ｖ電源ラインに電源を供給する。映像表示装置（Sink機器）１０の第１通信モジュール１１０は、電源ＯＮの状態になると５Ｖ電源ラインの電圧を検出することで、映像送信装置（Source機器）２０の電源が入っていることを認識する（Ｓ６０１）。
【００４５】
映像送信装置（Source機器）２０の電源が入っていることを認識した映像表示装置（Sink機器）１０の通信コントローラ１５２は、HPDラインを介してHPD”High ”を送信する（Ｓ６０２）。
映像送信装置（Source機器）２０の通信コントローラ２５２は、HPDラインが”High ”になったことを検出することで、映像表示装置（Sink機器）１０が接続したことを認識する（Ｓ６０２）。
【００４６】
HPDが”High ”になったことを検出した映像送信装置（Source機器）２０の通信コントローラ２５２は、映像表示装置（Sink機器）１０の通信コントローラ１５２に対してEDID送信要求を送信する（Ｓ６０３）。
EDID送信要求を受信した映像表示装置（Sink機器）１０の通信コントローラ１５２は、EDID送信コントローラ１５４によりHDMI2.xデータブロックのEDIDを映像送信装置（Source機器）２０に送信する（Ｓ６０４）。EDID送信コントローラ１５４は、図４Ａに示したHDMI拡張機能対応ビット４０１を“オン（例えば１）”に設定したEDIDを映像送信装置（Source機器）２０に送信する（Ｓ６０４）。
【００４７】
EDIDを受信した映像送信装置（Source機器）２０は、拡張InfoFrameに対応している場合は、HDMI拡張機能対応ビット４０１を解析し、解析結果と自身が準拠するHDMIのバージョンとに応じて、拡張InfoFrameのHDMI拡張機能対応ビット４０２に設定する値を決定し、決定した値を設定して拡張InfoFrameを映像表示装置（Sink機器）１０に送信する。映像送信装置（Source機器）２０は、拡張InfoFrameに対応していない場合は、EDIDに含まれるHDMI拡張機能対応ビット４０１の存在を認識できないため、拡張InfoFrameを映像表示装置（Sink機器）１０に送信しない。
【００４８】
図６の映像送信装置（Source機器）２０は、拡張InfoFrameに対応しており、更にHDMI1.4bに準拠する映像送信装置である。したがって映像送信装置（Source機器）２０は、HDMI拡張機能対応ビット４０２を”オフ”に設定して、TMDSエンコーダ２５０により拡張InfoFrameを映像表示装置（Sink機器）１０に送信する（Ｓ６０５）。
【００４９】
HDMI拡張機能対応ビット４０２が”オフ”に設定された拡張InfoFrameを受信した映像表示装置（Sink機器）１０のTMDSデコーダ１５０は、受信した拡張InfoFrameを判定モジュール１５１に送信する。
判定モジュール１５１は、受信した拡張InfoFrameに含まれるHDMI拡張機能対応ビット４０２の値を解析することで、映像送信装置（Source機器）２０が準拠するHDMIのバージョンを認識する。
【００５０】
図６の場合、HDMI拡張機能対応ビット４０２は”オフ”（ 例えばバージョン2.x互換に非対応）であるため、判定モジュール１５１は、映像送信装置（Source機器）２０がHDMI1.4bに準拠する装置であると認識する。
以上により映像表示装置（Sink機器）１０は、映像送信装置（Source機器）２０がHDMI1.4bに準拠する装置であることを認識することができる。そこで映像表示装置（Sink機器）１０は、HDMI1.4bとして動作するように切り替え、HDMI1.4bの動作として映像送信装置（Source機器）２０と再接続を行うための処理を継続する。
【００５１】
判定モジュール１５１は、映像送信装置（Source機器）２０がHDMI1.4bに準拠する装置であると認識した旨を通信コントローラ１５２に通知する。
通知を受けた通信コントローラ１５２は、映像表示装置（Sink機器）１０をHDMI1.4bとして動作するように切り替えて、HDMI1.4bとして映像送信装置（Source機器）２０と再接続を行うために、HPDラインを介してHPD”Low ”を送信し、次にHPD”High ”を送信する（Ｓ６０６）。なお映像表示装置（Sink機器）１０は、映像送信装置（Source機器）２０とのやり取りで確定した動作（HDMI1.4bとしての動作）に関する情報を、例えばメモリ１５５に保存しておき、次回の映像表示装置（Sink機器）１０及び映像送信機器（Source機器）２０の電源ＯＮ時に送信するEDIDに用いてもよい。
【００５２】
HPDが”Low ”から”High ”に遷移したことを検出した映像送信装置（Source機器）２０の通信コントローラ２５２は、映像表示装置（Sink機器）１０の通信コントローラ１５２に対してEDID送信要求を送信する（Ｓ６０７）。
EDID送信要求を受信した映像表示装置（Sink機器）１０の通信コントローラ１５２は、EDID送信コントローラ１５４によりHDMI1.4bデータブロックのEDIDを映像送信装置（Source機器）２０に送信する（Ｓ６０８）。EDID送信コントローラ１５４は、図４Ａに示したHDMI拡張機能対応ビット４０１を“オフ（例えば０）”に設定したEDIDを送信する。
【００５３】
EDIEを受信した映像送信装置（Source機器）２０は、HDMI拡張機能対応ビット４０２を”オフ”に設定して、TMDSエンコーダ２５０によりInfoFrameを映像表示装置（Sink機器）１０に送信する（Ｓ６０９）。
HDMI拡張機能対応ビット４０２が”オフ”に設定されたInfoFrameを受信した映像表示装置（Sink機器）１０のTMDSデコーダ１５０は、受信したInfoFrameを判定モジュール１５１に送信する。
【００５４】
判定モジュール１５１がInfoFrameのHDMI拡張機能対応ビット４０２を解析することで、映像表示装置（Sink機器）１０は、映像送信装置（Source機器）２０がHDMI1.4bに準拠する装置であることを認識することができる。
これにより映像表示装置（Sink機器）１０は、映像送信装置（Source機器）２０がHDMI1.4bに準拠する装置であるものとして、映像送信装置（Source機器）２０から送らてくる映像音声信号の受信処理を行うことが可能となる。
【００５５】
図７は、本実施形態に係る電子機器が、HDMI2.xの規格に準拠し更に図４Ｂに示すInfoFrameをサポートする映像送信装置と接続する場合の、接続処理シーケンスの他の例を示す図である。図７に示す映像送信装置（Source機器）２０はHDMI2.xに準拠している場合であり、処理シーケンスは図５のNo１の組み合わせの場合に該当する。
【００５６】
映像送信装置（Source機器）２０の第２通信モジュール２１０は、電源ＯＮ状態になると５Ｖ電源ラインに電源を供給する。映像表示装置（Sink機器）１０の第１通信モジュール１１０は、電源ＯＮの状態になると５Ｖ電源ラインの電圧を検出することで、映像送信装置（Source機器）２０の電源が入っていることを認識する（Ｓ７０１）。
【００５７】
映像送信装置（Source機器）２０の電源が入っていることを認識した映像表示装置（Sink機器）１０の通信コントローラ１５２は、HPDラインを介してHPD”High ”を送信する（Ｓ７０２）。
映像送信装置（Source機器）２０の通信コントローラ２５２は、HPDラインが”High ”になったことを検出することで、映像表示装置（Sink機器）１０が接続したことを認識する（Ｓ７０２）。
【００５８】
HPDが”High ”になったことを検出した映像送信装置（Source機器）２０の通信コントローラ２５２は、映像表示装置（Sink機器）１０の通信コントローラ１５２に対してEDID送信要求を送信する（Ｓ７０３）。
EDID送信要求を受信した映像表示装置（Sink機器）１０の通信コントローラ１５２は、EDID送信コントローラ１５４によりHDMI2.xデータブロックのEDIDを映像送信装置（Source機器）２０に送信する（Ｓ７０４）。EDID送信コントローラ１５４は、図４Ａに示したHDMI拡張機能対応ビット４０１を“オン（例えば１）”に設定したEDIDを映像送信装置（Source機器）２０に送信する（Ｓ７０４）。
【００５９】
EDIDを受信した映像送信装置（Source機器）２０は、拡張InfoFrameに対応している場合は、HDMI拡張機能対応ビット４０１を解析し、解析結果と自身が準拠するHDMIのバージョンとに応じて、拡張InfoFrameのHDMI拡張機能対応ビット４０２に設定する値を決定し、決定した値を設定して拡張InfoFrameを映像表示装置（Sink機器）１０に送信する。映像送信装置（Source機器）２０は、拡張InfoFrameに対応していない場合は、EDIDに含まれるHDMI拡張機能対応ビット４０１の存在を認識できないため、拡張InfoFrameを映像表示装置（Sink機器）１０に送信しない。
【００６０】
図７の映像送信装置（Source機器）２０は、拡張InfoFrameに対応しており、更にHDMI2.xに準拠する映像送信装置である。したがって映像送信装置（Source機器）２０は、HDMI拡張機能対応ビット４０２を”オン”に設定して、TMDSエンコーダ２５０によりInfoFrameを映像表示装置（Sink機器）１０に送信する（Ｓ７０５）。
【００６１】
HDMI拡張機能対応ビット４０２が”オン”に設定された拡張InfoFrameを受信した映像表示装置（Sink機器）１０のTMDSデコーダ１５０は、受信した拡張InfoFrameを判定モジュール１５１に送信する。
判定モジュール１５１は、受信した拡張InfoFrameに含まれるHDMI拡張機能対応ビット４０２の値を解析することで、映像送信装置（Source機器）２０が準拠するHDMIのバージョンを認識する。
【００６２】
図７の場合、HDMI拡張機能対応ビット４０２は”オン”（ 例えばバージョン2.x互換に対応）であるため、判定モジュール１５１は、映像送信装置（Source機器）２０がHDMI2.xに準拠する装置であると認識する。
以上により映像表示装置（Sink機器）１０は、映像送信装置（Source機器）２０がHDMI2.xに準拠する装置であることを認識することができる。映像表示装置（Sink機器）１０は、HDMI2.xとして動作するように設定されているため、映像表示装置（Sink機器）１０の判定モジュール１５１は、映像送信装置（Source機器）２０との接続処理を終了する。なお映像表示装置（Sink機器）１０は、映像送信装置（Source機器）２０とのやり取りで確定した動作（HDMI2.xとしての動作）に関する情報を、例えばメモリ１５５に保存しておき、次回の映像表示装置（Sink機器）１０及び映像送信機器（Source機器）２０の電源ＯＮ時に送信するEDIDに用いてもよい。
【００６３】
これにより映像表示装置（Sink機器）１０は、映像送信装置（Source機器）２０がHDMI2.xに準拠する装置であるものとして、映像送信装置（Source機器）２０から送らてくる映像音声信号の受信処理を行うことが可能となる。
図８は、本実施形態に係る電子機器１０が、HDMI1.4bの規格に準拠し図４Ｂに示す拡張InfoFrameをサポートしない映像送信装置と接続する場合の、接続処理シーケンスの他の例を示す図である。図８に示す映像送信装置（Source機器）２０はHDMI1.4bに準拠している場合であり、処理シーケンスは図５のNo2の組み合わせの場合に該当する。
【００６４】
映像送信装置（Source機器）２０の第２通信モジュール２１０は、電源ＯＮ状態になると５Ｖ電源ラインに電源を供給する。映像表示装置（Sink機器）１０の第１通信モジュール１１０は、電源ＯＮの状態になると５Ｖ電源ラインの電圧を検出することで、映像送信装置（Source機器）２０の電源が入っていることを認識する（Ｓ８０１）。
【００６５】
映像送信装置（Source機器）２０の電源が入っていることを認識した映像表示装置（Sink機器）１０の通信コントローラ１５２は、HPDラインを介してHPD”High ”を送信する（Ｓ８０２）。
映像送信装置（Source機器）２０の通信コントローラ２５２は、HPDラインが”High ”になったことを検出することで、映像表示装置（Sink機器）１０が接続したことを認識する（Ｓ８０２）。
【００６６】
HPDが”High ”になったことを検出した映像送信装置（Source機器）２０の通信コントローラ２５２は、映像表示装置（Sink機器）１０の通信コントローラ１５２に対してEDID送信要求を送信する（Ｓ８０３）。
EDID送信要求を受信した映像表示装置（Sink機器）１０の通信コントローラ１５２は、EDID送信コントローラ１５４によりHDMI2.xデータブロックのEDIDを映像送信装置（Source機器）２０に送信する（Ｓ８０４）。EDID送信コントローラ１５４は、図４Ａに示したHDMI拡張機能対応ビット４０１を“オン（例えば１）”に設定したEDIDを送信する。
【００６７】
EDIDを受信した映像送信装置（Source機器）２０は、拡張InfoFrameに対応している場合は、HDMI拡張機能対応ビット４０１を解析し、解析結果と自身が準拠するHDMIのバージョンとに応じて、拡張InfoFrameのHDMI拡張機能対応ビット４０２に設定する値を決定し、決定した値を設定して拡張InfoFrameを映像表示装置（Sink機器）１０に送信する。映像送信装置（Source機器）２０は、拡張InfoFrameに対応していない場合は、EDIDに含まれるHDMI拡張機能対応ビット４０１の存在を認識できないため、拡張InfoFrameを映像表示装置（Sink機器）１０に送信しない。
【００６８】
図８の映像送信装置（Source機器）２０は、拡張InfoFrameに対応しておらず、更にHDMI1.4に準拠する映像送信装置である。したがって映像送信装置（Source機器）２０は、受信したEDIDのHDMI拡張機能対応ビット４０１を認識できず、拡張InfoFrameを送信せずに、TMDSエンコーダ２５０によりHDMI1.4bに準拠した映像音声信号の送信を行う（Ｓ８０５）。
【００６９】
HDMI1.4bに準拠した映像音声信号を受信した映像表示装置（Sink機器）１０のTMDSデコーダ１５０は、受信した映像音声信号を解析することで、受信した映像音声信号がHDMI1.4bに準拠する信号であること認識するとともに、拡張InfoFrameを受信していないことを認識する。
【００７０】
TMDSデコーダ１５０は、受信した映像音声信号がHDMI1.4bに準拠する信号であることを認識するのに、例えば
(1)HDMI信号レートが10.2Gbps以下で、色空間が４：２：０フォーマットでない、あるいはHDRフォーマットでない
(2)DVI信号が含まれる
のいずれかに該当する場合、TMDSデコーダ１５０は、受信した映像音声信号がHDMI1.4bに準拠する信号である、と認識する。TMDSデコーダ１５０は、これらの情報以外にも、HDMI1.4bの属性を示す情報を用いて、受信した映像音声信号がHDMI1.4bに準拠する信号であることを認識してもよい。
【００７１】
以上により映像表示装置（Sink機器）１０は、映像送信装置（Source機器）２０がHDMI1.4bに準拠する装置であることを認識することができる。そこで映像表示装置（Sink機器）１０は、HDMI1.4bとして動作するように切り替え、HDMI1.4bの動作として映像送信装置（Source機器）２０と再接続を行うための処理を継続する。
【００７２】
TMDSデコーダ１５０は、映像送信装置（Source機器）２０がHDMI1.4bに準拠する装置であると認識した旨を通信コントローラ１５２に通知する。
通知を受けた通信コントローラ１５２は、映像表示装置（Sink機器）１０をHDMI1.4bとして動作するように切り替えて、HDMI1.4bとして映像送信装置（Source機器）２０と再接続を行うために、HPDラインを介してHPD”Low ”を送信し、次にHPD”High ”を送信する（Ｓ８０６）。なお映像表示装置（Sink機器）１０は、映像送信装置（Source機器）２０とのやり取りで確定した動作（HDMI1.4bとしての動作）に関する情報を、例えばメモリ１５５に保存しておき、次回の映像表示装置（Sink機器）１０及び映像送信機器（Source機器）２０の電源ＯＮ時に送信するEDIDに用いてもよい。
【００７３】
HPDが”Low ”から”High ”になったことを検出した映像送信装置（Source機器）２０の通信コントローラ２５２は、映像表示装置（Sink機器）１０の通信コントローラ１５２に対してEDID送信要求を送信する（Ｓ８０７）。
EDID送信要求を受信した映像表示装置（Sink機器）１０の通信コントローラ１５２は、EDID送信コントローラ１５４によりHDMI1.4bデータブロックのEDIDを映像送信装置（Source機器）２０に送信する（Ｓ８０８）。EDID送信コントローラ１５４は、図４Ａに示したHDMI拡張機能対応ビット４０１を“オフ（例えば０）”に設定したEDIDを送信する。
【００７４】
EDIEを受信した映像送信装置（Source機器）２０は、以降HDMI1.4bに準拠した映像音声信号を送信する（８０９）。
これにより映像表示装置（Sink機器）１０は、映像送信装置（Source機器）２０がHDMI1.4bに準拠する装置であるものとして、映像送信装置（Source機器）２０から送らてくる映像音声信号の受信処理を行うことが可能となる。
【００７５】
なおTMDSデコーダ１５０は、Ｓ８０５において受信した映像音声信号がHDMI1.4bに準拠する信号であること認識した以降に、拡張InfoFrameを受信する場合も想定される。この場合映像表示装置（Sink機器）１０は、既に設定されているHDMI1.4bに準拠した動作を継続してもよいし、受信した拡張InfoFrameに応じて、準拠して動作するHDMIのバージョンを決定してもよい。
【００７６】
図９は、本実施形態に係る電子機器が、HDMI2.xの規格に準拠し更に図５に示すInfoFrameをサポートしない映像送信装置と接続する場合の、接続処理シーケンスの他の例を示す図である。図９に示す映像送信装置（Source機器）２０はHDMI2.xに準拠している場合であり、処理シーケンスは図５のNo3の組み合わせの場合に該当する。
【００７７】
映像送信装置（Source機器）２０の第２通信モジュール２１０は、電源ＯＮ状態になると５Ｖ電源ラインに電源を供給する。映像表示装置（Sink機器）１０の第１通信モジュール１１０は、電源ＯＮの状態になると５Ｖ電源ラインの電圧を検出することで、映像送信装置（Source機器）２０の電源が入っていることを認識する（Ｓ９０１）。
【００７８】
映像送信装置（Source機器）２０の電源が入っていることを認識した映像表示装置（Sink機器）１０の通信コントローラ１５２は、HPDラインを介してHPD”High ”を送信する（Ｓ９０２）。
映像送信装置（Source機器）２０の通信コントローラ２５２は、HPDラインが”High ”になったことを検出することで、映像表示装置（Sink機器）１０が接続したことを認識する（Ｓ９０２）。
【００７９】
HPDが”High ”になったことを検出した映像送信装置（Source機器）２０の通信コントローラ２５２は、映像表示装置（Sink機器）１０の通信コントローラ１５２に対してEDID送信要求を送信する（Ｓ９０３）。
EDID送信要求を受信した映像表示装置（Sink機器）１０の通信コントローラ１５２は、EDID送信コントローラ１５４によりHDMI2.xデータブロックのEDIDを映像送信装置（Source機器）２０に送信する（Ｓ９０４）。EDID送信コントローラ１５４は、図４Ａに示したHDMI拡張機能対応ビット４０１を“オン（例えば１）”に設定したEDIDを映像送信装置（Source機器）２０に送信する。
【００８０】
EDIDを受信した映像送信装置（Source機器）２０は、拡張InfoFrameに対応している場合は、HDMI拡張機能対応ビット４０１を解析し、解析結果と自身が準拠するHDMIのバージョンとに応じて、拡張InfoFrameのHDMI拡張機能対応ビット４０２の値を決定し、決定した値を設定して拡張InfoFrameを映像表示装置（Sink機器）１０に送信する。映像送信装置（Source機器）２０は、拡張InfoFrameに対応していない場合は、EDIDに含まれるHDMI拡張機能対応ビット４０１の存在を認識できないため、拡張InfoFrameを映像表示装置（Sink機器）１０に送信しない。
【００８１】
図９の映像送信装置（Source機器）２０は、拡張InfoFrameに対応しておらず、更にHDMI2.xに準拠する映像送信装置である。したがって映像送信装置（Source機器）２０は、拡張InfoFrameを送信せずに、TMDSエンコーダ２５０によりHDMI2.xに準拠した映像音声信号の送信を行う（Ｓ９０５）。
【００８２】
HDMI2.xに準拠した映像音声信号を受信した映像表示装置（Sink機器）１０のTMDSデコーダ１５０は、受信した映像音声信号を解析することで、受信した映像音声信号がHDMI1.4bに準拠する信号であること認識するとともに、拡張InfoFrameを受信していないことを認識する。
【００８３】
以上により映像表示装置（Sink機器）１０は、映像送信装置（Source機器）２０がHDMI2.xに準拠する装置であることを認識することができる。映像表示装置（Sink機器）１０は、HDMI2.xとして動作するように設定されているため、映像表示装置（Sink機器）１０のTMDSデコーダ１５０は、映像送信装置（Source機器）２０との接続処理を終了する。なお映像表示装置（Sink機器）１０は、映像送信装置（Source機器）２０とのやり取りで確定した動作（HDMI2.xとしての動作）に関する情報を、例えばメモリ１５５に保存しておき、次回の映像表示装置（Sink機器）１０及び映像送信機器（Source機器）２０の電源ＯＮ時に送信するEDIDに用いてもよい。
【００８４】
これにより映像表示装置（Sink機器）１０は、映像送信装置（Source機器）２０がHDMI2.xに準拠する装置であるものとして、映像送信装置（Source機器）２０から送らてくる映像音声信号の受信処理を行うことが可能となる。
図１０は、本実施形態に係る電子機器が、接続する映像送信装置が準拠するHDMIのバージョンに応じて、動作するHDMIのバージョンを切り替える処理フローの一例を示す図である。
【００８５】
映像表示装置（Sink機器）１０は、映像送信装置（Source機器）２０との接続を開始すると、動作するHDMIのバージョンを切り替える処理を開始する（Ｓ１０００）。映像送信装置（Source機器）２０との接続の開始とは、例えば図６のＳ６０１の映像表示装置（Sink機器）１０が５Ｖ電源ラインの電圧を検出したタイミングである。
【００８６】
映像表示装置（Sink機器）１０は、HDMI2.xとして動作するように種々の機能を設定する（Ｓ１００１）。
映像表示装置（Sink機器）１０は、映像送信装置（Source機器）２０から拡張InfoFrameを受信すると（Ｓ１００２、Ｓ１００３）、HDMI拡張機能対応ビット４０２の値を解析する。
【００８７】
解析の結果HDMI拡張機能対応ビット４０２が“オン”の場合（Ｓ１００２のＹｅｓ）、映像表示装置（Sink機器）１０は、HDMI2.xとしての動作を継続する。映像表示装置（Sink機器）１０が、HDMI2.xとしての動作を継続する処理は、例えば図７のＳ７０５の拡張InfoFrameを受信した以降の処理である。
【００８８】
解析の結果HDMI拡張機能対応ビット４０２が“オフ”の場合（Ｓ１００３のＹｅｓ）、映像表示装置（Sink機器）１０は、HDMI1.4bとしての動作に切り替えを行う。映像表示装置（Sink機器）１０が、HDMI1.4bとしての動作に切り替える処理は、例えば図６のＳ６０６の映像送信装置（Source機器）２０との再接続以降の処理である。
【００８９】
映像表示装置（Sink機器）１０は、映像送信装置（Source機器）２０から拡張InfoFrameを受信せずに、HDMIの映像音声信号を受信すると（Ｓ１００５、Ｓ１００６）、受信した映像音声信号が準拠するHDMIのバージョンを解析する。
【００９０】
解析の結果HDMIのバージョンがHDMI2.xの場合（Ｓ１００５のＹｅｓ）、映像表示装置（Sink機器）１０は、HDMI2.xとしての動作を継続する。映像表示装置（Sink機器）１０が、HDMI2.xとしての動作を継続する処理は、例えば図９のＳ９０５のHDMI2.xに準拠した映像音声信号を受信した以降の処理である。
【００９１】
解析の結果HDMIのバージョンがHDMI1.4bの場合（Ｓ１００６のＹｅｓ）、映像表示装置（Sink機器）１０は、HDMI1.4bのとしての動作に切り替えを行う。映像表示装置（Sink機器）１０が、HDMI1.4bとしての動作に切り替える処理は、例えば図８のＳ８０５のHDMI1.4bに準拠した映像音声信号を受信した以降の処理である。
【００９２】
映像表示装置（Sink機器）１０は、動作するHDMIのバージョンを確定させると、切り替え処理を終了する（Ｓ１０２０）。
図１０の動作するHDMIのバージョンを切り替える処理フローは、映像表示装置（Sink機器）１０が、５Ｖ電源ラインの電圧を検出することで、新たな映像送信装置（Source機器）との接続を認識するごとに行われる。
【００９３】
上記説明では、HDMIのバージョンとして上位のバージョンをHDMI2.x、下位のバージョンをHDMI1.4bとして説明したが、これに限らず、上位のバージョンをHDMI2.x、下位のバージョンをHDMI1.xとしてもよい。
また上記説明では、図４Ａに示すEDIDのHDMI拡張機能対応ビット４０１に対応して、映像送信装置２０が拡張InfoFrameを送信する場合を例に説明したが、それに限らない。
【００９４】
例えば図４Ａに示すEDIDのHDMI拡張機能対応ビット４０１に対応して、映像送信装置２０の通信コントローラ２５２がCECラインやDDCラインの信号により、HDMI拡張機能対応ビット４０２に対応する制御情報を映像表示装置１０に送信してもよい。
【００９５】
この場合映像表示装置１０及び映像送信装置２０の処理は、例えば図６の拡張InfoFrameを映像表示装置（Sink機器）１０に送信する処理（Ｓ６０５）においては、CECラインやDDCラインの信号によりHDMI拡張機能対応ビット４０２に対応する制御情報を送信する処理に置き換えればよい。
【００９６】
さらにまた上記説明では、拡張InfoFrameのフォーマットは、図４Ｂに示すようにHDMI拡張機能対応ビット４０２を含む場合を例に説明したが、それに限らない。拡張InfoFrameのフォーマット例は、HDMI拡張機能対応ビット４０２の代わりに、HDMI拡張機能対応ビット４０１に対応して、対応する機能を含むフォーマットとしてもよい。具体的には拡張InfoFrameのフォーマット例は、HDMI2.xの特定機能を示す制御情報を、応答情報として含んでもよい。あるいは拡張InfoFrameのフォーマット例は、HDMI拡張機能対応ビット４０２と、HDMI拡張機能対応ビット４０１に対応して、対応する特定機能を示す制御情報と両方を応答情報として含んでもよい。
【００９７】
この場合映像表示装置１０及び映像送信装置２０の処理は、例えば図６の拡張InfoFrameを受信（S６０５）した映像表示装置（Sink機器）１０の判定モジュール１５１の処理においては、応答情報を解析する処理に置き換えればよい。
さらにまた上記説明では、映像表示装置１０と映像送信装置２０とが再接続するための処理として、HPDラインを用いた処理を例に説明したが、それに限らない。映像表示装置１０と映像送信装置２０とが再接続の時間を短縮するために、映像表示装置１０の通信コントローラ１５２がCECラインやDDCラインの信号により、自身が設定するEDIDの内容が変わった旨（EDIE変更通知）を通知し、この通知を受けた映像送信装置２０がEDID送信要求を送信してもよい。
【００９８】
この場合映像表示装置１０及び映像送信装置２０の処理は、例えば図６のHot Plug Detect(HDP)オンの処理の代わりに、映像表示装置１０が映像送信装置２０に対してEDID変更通知を送信する処理に置き換えればよい。
以上のように、本発明の実施形態に係る映像表示装置（Sink機器）１０は、種々のHDMIのバージョンの映像送信装置（Source機器）２０と接続する際に、映像送信装置（Source機器）２０から送られてくる拡張InfoFrameに含まれるHDMI拡張機能対応ビットの値に従って、動作するHDMIのバージョンを決定することができる。さらに映像表示装置（Sink機器）１０は、映像送信装置（Source機器）２０から拡張InfoFrameが送られてこない場合は、映像送信装置（Source機器）２０から送られてくる映像音声信号を解析し、その解析結果に応じて、動作するHDMIのバージョンを決定することができる。
【００９９】
このように動作することで、映像表示装置（Sink機器）１０は、互いに異なるHDMIバージョンの映像送信装置（Source機器）２０と接続する場合でも、また映像送信装置（Source機器）２０が拡張InfoFrameの対応の有無に関わらず、受信した映像音声信号を正常にディスプレイ１３に表示したりスピーカー１５に出力したりすることが可能となる。
【０１００】
また映像表示装置（Sink機器）１０は、拡張InfoFrameに対応した映像送信装置（Source機器）２０と接続する場合、受信した映像音声信号ではなく受信した拡張InfoFrameのHDMI拡張機能対応ビット４０２の値に応じて、映像送信装置（Source機器）２０が動作するHDMIのバージョンを決定するため、映像音声信号により映像送信装置（Source機器）２０が動作するHDMIのバージョンを決定する場合に比べて、動作するHDMIのバージョンを正確に決定することができる。これは例えば、HDMI2.xに準拠する映像送信装置（Source機器）２０が、ユーザ操作によりHDMI1.4bに準拠する映像音声信号を送信する場合が想定されるからである。
【０１０１】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【０１０２】
１０・・・映像表示装置、２０・・・映像送信装置、１１０・・・第１通信モジュール、２１０・・・第２通信モジュール、１５１・・・判定モジュール、１５２・・・通信コントローラ、１５３・・・EDID処理モジュール。
【図１】
2020150445.tif 000003
【図２】
2020150445.tif 000004
【図３】
2020150445.tif 000005
【図４Ａ】
2020150445.tif 000006
【図４Ｂ】
2020150445.tif 000007
【図５】
2020150445.tif 000008
【図６】
2020150445.tif 000009
【図７】
2020150445.tif 000010
【図８】
2020150445.tif 000011
【図９】
2020150445.tif 000012
【図１０】
2020150445.tif 000013